(57)【要約】【課題】グリル扉の取手部を上部に設けると共に、取手部の温度上昇を低減できるビルトインコンロを提供する。【解決手段】グリル扉８の取手部９は、水平部４１と傾斜部４２を備える。水平部４１は、グリル扉８の上側表板部の前面上部から前方且つ水平に延びる部分である。傾斜部４２は、水平部４１の先端から前方に下り傾斜する部分である。水平部４１は、キッチンカウンタ５０の張出部５２よりもさらに前方に張り出している。それ故、水平部４１は、キッチンカウンタ５０の張出部５２の下部に重なるので、使用者の手に触れにくい。さらに、傾斜部４２が水平部４１の先端から前方に下り傾斜して設けられているので、使用者はグリル扉８から離れた傾斜部４２に手を掛けてグリル扉８を操作できる。これにより、熱によって使用者が感じる不快感を低減できる。【選択図】図１
2015034676.tif 000002
【特許請求の範囲】
【請求項１】
キッチンカウンタの上面に設けられた開口に器具本体を上方から落とし込み、前記キッチンカウンタの内側から、前記器具本体の前面を前記キッチンカウンタの前面に設けられた開口部に配置して取り付けるビルトインコンロであって、
前記器具本体の前記前面には、グリル庫の開口を開閉するグリル扉が設けられ、
前記グリル扉の前面の上部には、樹脂製の取手部が設けられ、
前記取手部は、
前記グリル扉の前記前面の上部から前方且つ水平に延びる水平部と、
前記水平部の先端から前方に下り傾斜する傾斜部と
を備え、
前記水平部は、前記キッチンカウンタの前記上面に設けられた前記開口の前側において前記キッチンカウンタの前記前面よりも前方に張り出して設けられた張出部よりもさらに前方に張り出していることを特徴とするビルトインコンロ。
【請求項２】
前記傾斜部の使用者側に向く外側の面には、リブ状に突出し且つ前記取手部の横方向に延びる第一突条部が設けられたことを特徴とする請求項１に記載のビルトインコンロ
【請求項３】
前記グリル扉は、前記グリル庫に出し入れ可能に設けられた受皿を保持する保持部に着脱可能に取り付けられ、
前記傾斜部の前記外側の面とは反対側の内側の面には、リブ状に突出し且つ前記横方向に直交する方向に延びる一又は複数の第二突条部が設けられたことを特徴とする請求項１又は２に記載のビルトインコンロ。
【発明の詳細な説明】
【技術分野】
【０００１】
本発明は、ビルトインコンロに関する。
【背景技術】
【０００２】
従来、グリル庫の開口を開閉するグリル扉にガラス部を備えるガスコンロが利用されている。使用者はガラス部を介して、グリル庫内におけるグリルバーナの火力や、焼き網上に載置された被調理物の加熱具合等を確認できる。このようなガスコンロのデザイン性を向上する為に、グリル扉の表面のレイアウトを変更することが考えられる。例えば、電磁調理器のグリルの扉であって、把手（取手部）を扉前面の上部に設けたものが知られている（例えば、特許文献１参照）。
【先行技術文献】
【特許文献】
【０００３】
【特許文献１】特開２０１０−１６９３５１号公報
【発明の概要】
【発明が解決しようとする課題】
【０００４】
特許文献１に対し、グリル庫内の被調理物をガス燃焼で加熱調理するガスコンロでは、グリル庫内の温度が電気ヒータを用いる電磁調理器よりも１００℃以上高くなり、熱せられた燃焼排気は器具上方へ向かうので、グリル扉の上部は比較的高温になり易い。そのようなグリル扉上部に樹脂製の取手部を設けた場合、熱くなったグリル扉上部から取手部に熱が伝わるので、取手部の表面温度が上昇してしまい、使用者に不快感を与える虞があった。このため、ガスコンロのグリル扉において、取手部を上部に設けるのが困難であった。
【０００５】
本発明の目的は、グリル扉の取手部を上部に設けると共に、取手部の温度上昇を低減できるビルトインコンロを提供することである。
【課題を解決するための手段】
【０００６】
本発明の請求項１に係る発明のビルトインコンロは、キッチンカウンタの上面に設けられた開口に器具本体を上方から落とし込み、前記キッチンカウンタの内側から、前記器具本体の前面を前記キッチンカウンタの前面に設けられた開口部に配置して取り付けるビルトインコンロであって、前記器具本体の前記前面には、グリル庫の開口を開閉するグリル扉が設けられ、前記グリル扉の前面の上部には、樹脂製の取手部が設けられ、前記取手部は、前記グリル扉の前記前面の上部から前方且つ水平に延びる水平部と、前記水平部の先端から前方に下り傾斜する傾斜部とを備え、前記水平部は、前記キッチンカウンタの前記上面に設けられた前記開口の前側において前記キッチンカウンタの前記前面よりも前方に張り出して設けられた張出部よりもさらに前方に張り出していることを特徴とする。
【０００７】
また、請求項２に係る発明のビルトインコンロは、請求項１に記載の発明の構成に加え、前記傾斜部の使用者側に向く外側の面には、リブ状に突出し且つ前記取手部の横方向に延びる第一突条部が設けられたことを特徴とする。
【０００８】
また、請求項３に係る発明のビルトインコンロは、請求項１又は２に記載の発明の構成に加え、前記グリル扉は、前記グリル庫に出し入れ可能に設けられた受皿を保持する保持部に着脱可能に取り付けられ、前記傾斜部の前記外側の面とは反対側の内側の面には、リブ状に突出し且つ前記横方向に直交する方向に延びる一又は複数の第二突条部が設けられたことを特徴とする。
【発明の効果】
【０００９】
請求項１に係る発明のビルトインコンロでは、グリル庫からの熱が伝わり易い水平部が、キッチンカウンタの張出部の下部に重なるので、使用者の手に触れにくい。さらに、傾斜部が水平部の先端から前方に下り傾斜して設けられているので、使用者はグリル扉から離れた傾斜部に手を掛けてグリル扉を操作できる。これにより、熱によって使用者が感じる不快感を低減できる。水平部の一部がキッチンカウンタの張出部よりも下部に隠れるので、グリル扉でグリル庫の開口を閉じた状態では、ビルトインコンロの美観を向上できる。
【００１０】
また、請求項２に係る発明のビルトインコンロでは、請求項１に記載の発明の効果に加え、使用者が傾斜部に指を掛けた際に、指を第一突条部に引っ掛けることができるので、グリル扉の操作性が向上する。
【００１１】
また、請求項３に係る発明のビルトインコンロでは、請求項１又は２に記載の発明の効果に加え、使用者が受皿から取り外したグリル扉の取手部の内側に指を掛けて持ち上げた際に、指に対して傾斜部の内側の面に設けられた第二突条部が引っ掛かるので、取手部の横滑りを防止できる。
【図面の簡単な説明】
【００１２】
【図１】コンロ１の全体斜視図である。
【図２】グリル庫１０の分解斜視図である。
【図３】グリル扉８の斜視図である。
【図４】グリル扉８を上下方向に立てた状態の斜視図である。
【図５】取手部９周囲の部分拡大断面図である。
【発明を実施するための形態】
【００１３】
以下、本発明の一実施形態について、図面に基づいて説明する。図１，図２において、左斜め下方、右斜め上方、右斜め下方、左斜め上方を、夫々、コンロ１又はグリル庫１０の前方、後方、右方、左方とする。図３の右斜め下方、左斜め上方、右斜め上方、左斜め下方を、夫々、グリル扉８の前方、後方、右方、左方とする。
【００１４】
図１に示すように、コンロ１は、キッチンカウンタ５０に装着されるガス燃焼式のビルトインコンロである。コンロ１は、キッチンカウンタ５０の上面に設けられた開口５１に、器具本体２を上方から落とし込み、器具本体２の上部外周に設けられたフランジ部（図示略）を開口５１の周縁部に係止させている。器具本体２の前面部は、キッチンカウンタ５０の内側から、キッチンカウンタ５０の前面５３に設けられた開口部５４に挿入されている。器具本体２の前面は、キッチンカウンタ５０の前面５３と略同一平面上に揃っている。キッチンカウンタ５０の上面の使用者側に対向する前端部には、前面５３よりも前方に略水平に張り出した張出部５２が設けられている。
【００１５】
図１を参照し、コンロ１の全体構造について説明する。コンロ１は略直方体状の器具本体２を備える。器具本体２の内側の幅方向中央には、グリル庫１０（図２参照）が設置されている。器具本体２の上部には、平面視長方形状のトッププレート３が取り付けられている。トッププレート３の右手前には右バーナ４、左手前には左バーナ５、中央奥側には奥バーナ６が夫々設けられている。奥バーナ６の後方には、グリル庫１０と連通する排気口７が設けられている。器具本体２の前面の幅方向中央には、正面視長方形状のグリル扉８が設けられている。グリル扉８の後方には、グリル庫１０（図２参照）が位置する。
【００１６】
図２に示すように、グリル庫１０は、下ケース１１と上ケース１２を備え、上ケース１２の天壁下面の略中央には、上火バーナ（図示略）が設けられ、下ケース１１の左右の両側壁１４，１５には、一対の下火バーナ（図示略）が各々設けられている。
【００１７】
底壁１３の上面には、レールユニット１６が着脱可能に取り付けられている。レールユニット１６は、矩形状の枠部１８を前後方向にスライド可能に支持する。枠部１８には、図示しない受皿及び焼き網等が取り付けられる。枠部１８の前部に設けられた前側連結材１７に対して、グリル扉８の裏板に設けられた板バネ８３（図４参照）が着脱可能に係合する。グリル扉８は、レールユニット１６によって前後方向にスライド可能となり、グリル庫１０の前面のグリル開口を開閉する。そして、グリル庫１０によるグリル調理後は、グリル扉８をレールユニット１６の枠部１８の前側連結材１７から取り外すことによって、グリル扉８を単独で洗浄することができる。
【００１８】
図３，図４を参照し、グリル扉８の形状について説明する。グリル扉８は、所定厚を有する正面視長方形の板状に形成されている。表面には、樹脂製の上側表板部２１と下側表板部２２が上下に夫々配置され、その中央には、複数のガラス板を積層してなるガラス部３０が配置されている。これら各部位のグリル扉８の表面に露出する部分は、正面視横長の長方形状に各々形成されている。ガラス部３０は、上側表板部２１と下側表板部２２よりも後方にやや下がった位置に配置されている（図３参照）。さらに、上側表板部２１の前面の上下幅よりも、下側表板部２２の前面の上下幅の方が広く形成されている。また、ガラス部３０は、グリル扉８の左端から右端に至る範囲に配されていて、上側表板部２１と下側表板部２２を上下に分断する構成になっている。このような形状であることから、グリル扉８の表面は、使用者にすっきりとした印象を与えつつも重厚感のあるデザインとなっている。
【００１９】
そして、ガラス部３０の最前面に位置するガラス板３１には、メッシュ部３１Ａが施され、その中央には横長の長方形状の窓部３１Ｂが設けられている。使用者は窓部３１Ｂを介して、グリル扉８の後方に位置するグリル庫１０の内側を確認できる。上側表板部２１の前面上部には、樹脂製の取手部９が設けられている。使用者は、取手部９に下側から指を掛けてグリル扉８を手前側に引き出すと、レールユニット１６による伸長動作により、枠部１８と共に焼き網と受皿をグリル庫１０から外部に同時に取り出すことができる。
【００２０】
図３，図４を参照し、取手部９の形状を具体的に説明する。取手部９は、グリル扉８の上側表板部２１の前面上部に設けられ、該前面上部から前方且つ水平に所定長だけ延びる水平部４１と、該水平部４１の先端から前方に下り傾斜する傾斜部４２とを備える。水平部４１は、左右方向の幅が前方に向かうに従ってやや先細りになった平面視台形状に形成されている。さらに、傾斜部４２は、水平部４１の形状に連続して前端側がやや先細りになった平面視台形状に形成されていると共に、水平部４１の延長線上に対して約４５°ほど下方に折れ曲がっている。
【００２１】
さらに、図３に示すように、傾斜部４２の使用者側に向く外側の面（上面）には、リブ状に突出し且つ取手部９の左右方向に延びる直線状の第一突条部４４が設けられている。さらに、図４に示すように、傾斜部４２の外側の面とは反対側の内側の面には、リブ状に突出し且つ取手部９の左右方向に直交する方向に延びる直線状の一対の第二突条部４６が各々設けられている。
【００２２】
図１，図３〜図５を参照し、取手部９の形状とその操作方法との関係について説明する。コンロ１のグリル庫１０内では、ガスバーナの燃焼によって被調理物を加熱するため、燃焼排気が器具上方に溜まりやすい。それ故、グリル扉８の前面上部は比較的高温になり易い。よって、取手部９の水平部４１は、グリル扉８の前面上部の熱が伝わり易い部分である。ところが、本実施形態では、図１，図５に示すように、コンロ１がキッチンカウンタ５０に設置された状態では、取手部９の水平部４１は、キッチンカウンタ５０の上面の前端部に設けられた張出部５２よりもさらに前方に張り出している。このような水平部４１は、張出部５２の下部に重なるので、使用者の手に触れにくい位置にある。よって、使用者は、取手部９を操作する場合、水平部４１ではなく、自然に傾斜部４２に指をかけることになる。
【００２３】
そして、グリル扉８を手前側に引き出す場合、使用者は、取手部９の下方から傾斜部４２の内側の面に指をかけ、手前側に引き出す。上記の通り、取手部９は手前側に斜め下方に折れ曲がった形状をしているので、下側から指を掛け易くなっている。さらに、指が掛けられる傾斜部４２は、グリル扉８の上側表板部２１の前面上部から水平部４１によって前方に離間した位置にあるので、グリル扉８の前面上部の熱が伝わりにくい部分である。これにより、傾斜部４２の表面温度の上昇を低減できるので、傾斜部４２に指をかけても不快感を感じさせない。
【００２４】
そして、グリル扉８をグリル庫１０に対して閉じる場合、使用者は、取手部９の傾斜部４２の外側の面に対して前方から指を当て、グリル庫１０側にそのまま押し込む。そして、傾斜部４２の外側の面には、第一突条部４４が設けられているので、第一突条部４４に指をかけることができ、滑り止めの効果を得ることもできる。これにより、グリル扉８の操作性が向上する。また、第一突条部４４によって、取手部９のうち傾斜部４２を目立たせることができる。これにより、使用者は、取手部９のうち、傾斜部４２に対して無意識に指を掛けるようになるので、熱が伝わりにくい傾斜部４２でグリル扉８を操作させることができる。
【００２５】
また、取手部９のうち、水平部４１の一部がキッチンカウンタ５０の張出部５２よりも下部に隠れるので、グリル扉８でグリル庫１０のグリル開口を閉じた状態では、コンロ１の前面の美観を向上できるので、デザイン的にも優れたコンロ１を提供できる。
【００２６】
また、グリル庫１０によるグリル調理の終了後、グリル扉８を洗浄する為に、グリル扉８をレールユニット１６の枠部１８から取り外した場合、使用者は、取手部９の内側に指を掛けた状態で、取手部９を把持することになる。このとき、図４に示すように、グリル扉８を上下方向に立てて持ち上げた際に、取手部９の内側において、指に対して第二突条部４６が引っ掛かるので、手から取手部９が滑り落ちることを防止できる。また、グリル扉８を横方向に持ち上げた際でも、第二突条部４６によって手に対して取手部９の横滑りを防止できる。
【００２７】
以上説明したように、本実施形態のコンロ１は、器具本体２の前面に、グリル庫１０のグリル開口を開閉するグリル扉８を備える。グリル扉８の使用者側に対向する前面において、樹脂製の上側表板部２１と下側表板部２２が上下に夫々配置され、その中央には、複数のガラス板を積層してなるガラス部３０が配置されている。そして、上側表板部２１の前面上部には、樹脂製の取手部９が設けられている。取手部９は、グリル扉８の上側表板部２１の前面上部に設けられ、該前面上部から前方且つ水平に所定長だけ延びる水平部４１と、該水平部４１の先端から前方に下り傾斜する傾斜部４２とを備える。
【００２８】
そして、水平部４１は、キッチンカウンタ５０の上面の前端部に設けられた張出部５２よりもさらに前方に張り出している。これにより、グリル庫１０からの熱が伝わり易い水平部４１が、キッチンカウンタ５０の張出部５２の下部に重なるので、使用者の手に触れにくい。さらに、傾斜部４２が水平部４１の先端から前方に下り傾斜して設けられているので、使用者はグリル扉８から離れた傾斜部４２に手を掛けてグリル扉８を操作できる。これにより、熱によって使用者が感じる不快感を低減できる。さらに、水平部４１の一部がキッチンカウンタ５０の張出部５２よりも下部に隠れるので、グリル扉８でグリル庫１０のグリル開口を閉じた状態では、コンロ１の美観を向上できる。
【００２９】
なお、本発明は上記実施形態に限定されるものではなく、種々の変更が可能である。上記実施形態では、グリル庫１０を備えたコンロ１を本発明の一例として説明したが、例えば、グリル庫を備えたテーブルコンロでもよく、さらにはグリル庫のみを備えたグリル調理器にも適用可能である。
【００３０】
また、上記実施形態では、取手部９の傾斜部４２の外側の面に、第一突条部４４、内側に一対の第二突条部４６を設けているが、これらは省略してもよい。また、第一突条部４４は直線状に形成しているが、断続的に横方向に設けてもよい。第二突条部４６については、一つでも複数でもよい。
【符号の説明】
【００３１】
１    コンロ
８    グリル扉
９    取手部
１０    グリル庫
１        コンロ
２    器具本体
８    グリル扉
９    取手部
１０    グリル庫
１３    底壁
１８    枠部
４１    水平部
４２    傾斜部
４４    第一突条部
４６    第二突条部
５０    キッチンカウンタ
５１    開口
５２    張出部
５３    前面
５４    開口部
【図１】
2015034676.tif 000003
【図２】
2015034676.tif 000004
【図３】
2015034676.tif 000005
【図４】
2015034676.tif 000006
【図５】
2015034676.tif 000007